(57)【要約】本発明は、新規なフィードフォワード増幅器（“ＦＦＡ”）及びそのためのパイロットトーン発生器−受信器を提供する。本発明の１つの実施の形態では、フィードフォワード増幅器は、ＦＦＡの増幅器回路と共に使用されるパイロットトーン発生器及びパイロットトーン受信器の双方を作動させるのに単一の発振器のみを必要とする。本発明の他の実施の形態では、単一の発振信号からパイロットトーンを生成し、これを検出する方法が提供される。
2004536470.tif 000002
【特許請求の範囲】
【請求項１】
主増幅器及び誤差補正経路を有するフィードフォワード増幅器用のパイロットトーン発生器−受信器であって、
信号を生成する発振器と、
前記発振器に接続され、前記主増幅器の前での注入に適したパイロットトーンを生成するために変調周波数によって前記信号を変更するベクトル変調器と、
前記発振器に接続され、前記フィードフォワード増幅器の出力からパイロットトーンを検出する受信器回路であって、これにより前記誤差経路は前記出力において信号を取り込むように動作可能になり、前記主増幅器によって取り込まれた前記パイロットトーン及びあらゆる誤差が実質的に取り除かれる、該受信器回路と、
を含む、パイロットトーン発生器−受信器。
【請求項２】
前記パイロットトーンを生成するために前記発振信号から前記周波数を減ずる、請求項１に記載の発生器−受信器。
【請求項３】
前記ベクトル変調器が、前記変調周波数を前記信号に加えるか又は前記信号から減ずるかを選択するための入力を有する、請求項１に記載の発生器−受信器。
【請求項４】
前記発振器が前記信号の周波数をプログラムする手段を更に含む、請求項１に記載の発生器−受信器。
【請求項５】
前記発振器に接続され、前記信号を所望のパラメータ内に保つ位相ロックループチップ及び基準信号チップを更に含む、請求項１に記載の発生器−受信器。
【請求項６】
前記周波数が約１メガヘルツ未満である、請求項１に記載の発生器−受信器。
【請求項７】
前記周波数が約１ヘルツ乃至約５０メガヘルツの範囲から選択される、請求項１に記載の発生器−受信器。
【請求項８】
前記周波数が約４５０キロヘルツである、請求項１に記載の発生器−受信器。
【請求項９】
前記受信器回路が、
前記フィードフォワード増幅器の測定出力を前記信号と混合し、混合された信号を生成する混合器と、
前記混合器に接続され、前記混合された信号から中間周波数をフィルタ処理してフィルタ処理済信号を生成するフィルタと、
前記フィルタに接続され、前記フィルタ処理済信号から前記パイロットトーンを検出し、前記誤差補正経路を調節するように動作することができる検出器と、
を含む、請求項１に記載の発生器−受信器。
【請求項１０】
主増幅器、誤差補正経路、及び出力経路を有するフィードフォワード増幅器用のパイロットトーンの生成及び受信方法であって、
発振信号を生成するステップと、
前記発振信号にベクトル変調を適用してパイロットトーンを生成するステップと、
前記パイロットトーンを前記主増幅器の前に注入するステップと、
前記発振信号を前記出力経路の測定出力と混合し、混合された信号を生成するステップと、
前記混合された信号から中間周波数をフィルタ処理してフィルタ処理済信号を生成するステップと、
前記フィルタ処理済信号から前記パイロットトーンを検出するステップと、
を含む、前記方法。
【請求項１１】
所望の発振信号を表すプログラミング入力を提供する追加のステップを含む、請求項１０に記載の方法。
【請求項１２】
増幅器部と、
前記増幅器部へのパイロットトーンの注入と、前記増幅器部の出力における前記パイロットの検出の双方を行うように動作することができ、発振器を１つだけ有するパイロットトーン発生器−受信器と、
を含む、フィードフォワード増幅器。
【請求項１３】
主増幅器、誤差補正経路、及び出力経路を有するフィードフォワード増幅器用のパイロットトーンの生成及び受信方法であって、
発振信号を生成するステップと、
前記発振信号からパイロットトーンを生成するステップと、
前記パイロットトーンを前記主増幅器の前に注入するステップと、
前記発振信号を前記出力経路の測定出力と混合し、混合された信号を生成するステップと、
前記混合された信号からパイロットトーンを受信するステップと、
を含む、前記方法。
【請求項１４】
前記誤差補正経路が補正信号を前記出力経路に取り込むように動作することができるように、前記パイロットトーンを用いて前記誤差補正経路における制御を調節する追加のステップを含む、請求項１３に記載の方法。
【請求項１５】
主増幅器、誤差補正経路、及び出力経路を有するフィードフォワード増幅器用のパイロットトーン発生器−受信器であって、
発振信号を生成する発振手段と、
前記発振手段に接続され、周波数及び位相のシフトした発振信号を生成する周波数及び位相シフト手段と、
前記発振手段又は前記シフト手段のうちの一方に接続され、パイロットトーンを前記主増幅器の前に注入するパイロットトーン出力と、
前記パイロットトーン出力が接続されていない前記発振手段又は前記シフト手段に接続され、前記出力経路において前記パイロットトーンを検出して前記誤差補正経路の制御を調節するパイロットトーン受信器であって、これにより、前記主増幅器によって取り込まれた前記パイロットトーン及びあらゆる誤差が実質的に取り除かれる、該パイロットトーン受信器と、
を含む、パイロットトーン発生器−受信器。
【請求項１６】
前記変調周波数が負数として表され、前記変調周波数が前記発振信号から差し引かれて前記パイロットトーンが生成される、請求項１５に記載のパイロットトーン発生器−受信器。
【請求項１７】
前記周波数及び位相シフト手段がベクトル変調器であり、前記パイロットトーン出力が前記ベクトル変調器に接続されている、請求項１５に記載の発生器−受信器。
【請求項１８】
フィードフォワード増幅器であって、
主増幅器及び誤差補正経路を有する増幅器部と、
パイロットトーン発生器−受信器と、
を含み、前記パイロットトーン発生器−受信器が、
（ａ）信号を生成する発振器と、
（ｂ）前記発振器に接続され、前記主増幅器の前での注入に適したパイロットトーンを生成するために前記変調周波数を前記信号に加えるか又は前記信号から減ずるベクトル変調器と、
（ｃ）前記発振器に接続され、前記主増幅器によって取り込まれた前記パイロットトーン及びあらゆる誤差を実質的に取り除くために前記フィードフォワード増幅器の出力からパイロットトーンを検出し、前記誤差補正経路を制御する受信器回路と、
を含む、フィードフォワード増幅器。
【請求項１９】
主増幅器及び誤差補正経路を有する増幅器部と、
発振信号を生成する発振手段と、
前記発振手段に接続され、前記主増幅器の前での注入に適したパイロットトーンを生成するためにベクトル変調を適用し、変調周波数を前記信号に加えるか又は前記信号から減ずる手段と、
前記発振手段に接続され、前記主増幅器によって取り込まれた前記パイロットトーン及びあらゆる誤差を実質的に取り除くために前記増幅器部の出力からパイロットトーンを検出し、前記誤差補正経路を変更するパイロットトーン受信器手段と、
を含む、フィードフォワード増幅器。
【請求項２０】
前記周波数が約１０キロヘルツ乃至約１０メガヘルツの範囲から選択される、請求項１９に記載のフィードフォワード増幅器。
【発明の詳細な説明】
【０００１】
【発明の属する技術分野】
本発明は増幅器回路に関する。より詳細には、本発明は、フィードフォワード増幅器及びそのためのパイロットトーン発生器−受信器に関する。
【０００２】
【従来の技術】
フィードフォワード増幅器（“ＦＦＡ”）は周知のものである。当該技術分野では、パイロットトーンを用いたＦＦＡの線形挙動の改善も公知である。簡潔に述べると、パイロットトーンはパイロットトーン発生器によって生成され、主増幅器の前の信号経路に注入される。そして、注入されたパイロットトーンは回路の出力においてパイロットトーン受信器により検出される。検出されたパイロットトーンは補正増幅器の出力のゲイン及び位相の調節に用いられ、これにより、主増幅器によって取り込まれたパイロットトーン及び誤差又は歪みが実質的に取り除かれる。全体的な結果として、ほぼ線形のフィードフォワード増幅器が得られる。ＦＦＡにおけるパイロットトーンの使用を更に詳述したものを種々の情報源において見出すことができ、それらには、開示内容が本明細書中に援用されるヴァンホーン（Ｖａｎ Ｈｏｒｎ）の米国特許第５，８７４，８５０号が含まれている。
【０００３】
パイロットトーンの使用によってＦＦＡの全体的な線形性を改善することができるが、現行のパイロットトーン発生器及び受信器はＦＦＡ回路を複雑にし、全体的なコストを増加させる傾向にある。例えば、パイロットトーンを用いる現行のＦＦＡ回路は、一般にパイロットトーン発生器用の第１の発振器及びパイロットトーン受信器用の第２の発振器といった複数の発振器を用いる。また、これら２つの発振器は、第１の発振器用の第１の周波数及び第２の発振器用の第２の周波数といった補助周波数を用いてプログラムされていなくてはならず、これにより、第２の周波数はパイロットトーン受信器の中間周波数（“ＩＦ”）の分だけ第１の周波数とは異なったものになる。２つの発振器の使用に関する別の問題は、位相ノイズ（時間領域内のジッタ）が発振器間に生じる場合があり、発生器及び受信器を設計する際、このような位相ノイズを補償するために更なる注意、コスト及び／又は複雑さを必要とすることである。
【０００４】
従来技術に関する更に別の問題は、フィルタなどのパイロットトーン受信器内の一定の素子を、ＦＦＡの誤差信号経路において用いられる補正増幅器及び遅延素子を適切に補うように適切に寸法決めすることが難しく、これにより、ＦＦＡの設計に際して全体的な複雑さ及びコストが増す場合があることである。
【０００５】
【発明が解決しようとする課題】
本発明の目的は、前述の従来技術の欠点のうち少なくとも１つを回避するか又は軽減する新規なフィードフォワード増幅器を提供することである。
【０００６】
【課題を解決するための手段】
本発明の１つの態様において、フィードフォワード増幅器（ＦＦＡ）用のパイロットトーン発生器−受信器が提供される。フィードフォワード増幅器は、主増幅器及び誤差補正経路を含む。発生器−受信器は、信号を生成する発振器と、発振器に接続されたベクトル変調器とを含む。ベクトル変調器は、主増幅器の前での注入に適したパイロットトーンを生成するために、変調周波数を信号に加えるか又は信号から減ずるように動作することができる。また、発生器−受信器は、発振器に接続された受信器回路を含み、これはフィードフォワード増幅器の出力からパイロットトーンを検出する。受信器回路は、検出されたパイロットトーンを用いて誤差補正経路の制御を変更するように動作することができ、これによって誤差経路は、主増幅器によって取り込まれたパイロットトーン及びあらゆる誤差を実質的に取り除くフィードフォワード増幅器の出力において信号を取り込むように動作することができる。
【０００７】
本発明の他の態様において、主増幅器、誤差補正経路、及び出力経路を有するフィードフォワード増幅器用のパイロットトーンの生成及び受信方法が提供される。この方法は、発振信号を生成するステップと、発振信号にベクトル変調を適用してパイロットトーンを生成するステップと、パイロットトーンを主増幅器の前に注入するステップと、発振信号を出力経路の測定出力と混合し、混合された信号を生成するステップと、混合された信号から中間周波数をフィルタ処理してフィルタ処理済信号を生成するステップと、フィルタ処理済信号からパイロットトーンを検出するステップと、を含む。
【０００８】
本発明の他の態様において、フィードフォワード増幅器が提供される。このフィードフォワード増幅器は、主増幅器及び誤差補正経路を有する増幅器部と、
パイロットトーン発生器−受信器と、を含み、パイロットトーン発生器−受信器が、信号を生成する発振器と、発振器に接続され、主増幅器の前での注入に適したパイロットトーンを生成するために変調周波数を信号に加えるか又は信号から減ずるベクトル変調器と、発振器に接続され、主増幅器によって取り込まれたパイロットトーン及びあらゆる誤差を実質的に取り除くためにフィードフォワード増幅器の出力からパイロットトーンを検出し、誤差補正経路を制御する受信器回路と、を含む。
【０００９】
本発明は、いくつかの従来技術のＦＦＡに関する費用及び複雑さを低減することができる。例えば、本発明の種々の態様において、パイロットトーンを生成し、パイロットトーン受信器回路に発振信号を提供するために単一の発振器のみを必要とするフィードフォワード増幅器が提供される。これとは反対に、いくつかの従来技術のＦＦＡは、パイロットトーン発生器用に１つ、パイロットトーン受信器用に１つ、といった２つの発振器を必要とする場合がある。本発明の他の実施の形態では、単一の発振信号からパイロットトーンを生成し、これを検出する方法が提供される。
【００１０】
【発明の実施の形態】
添付の図面を参照しながら、本発明の好適な実施の形態をほんの一例として説明する。
【００１１】
ここで図１を参照すると、従来技術のフィードフォワード増幅器（“ＦＦＡ”）が概して２０で示されている。ＦＦＡ２０は、増幅器部２４、パイロットトーン発生器２８、及びパイロットトーン受信器３２を含む。
【００１２】
増幅器部２４は、入力信号経路４０に接続された結合器３６を含む。結合器３６は、経路４０から入る信号を第１の信号経路４４及び第２の信号経路４８に分割するように動作することができる。結合器３６からの主信号を伝送する第１の信号経路４４は、ゲイン及び位相調節器５２、主増幅器５６、並びに出力信号経路６４に出力する遅延素子６０によって特徴付けられている。結合器３６によって生成された入力信号のサンプルを伝送する第２の信号経路４８は、遅延素子６８、ゲイン及び位相調節器７２、並びに補正増幅器７４によって特徴付けられており、補正増幅器７４の出力は結合器７６を介して出力信号経路６４に接続している。調節器７２及び補正増幅器７４が増幅器部２４内に誤差補正経路７３を形成することを、当業者は認識するであろう。従って、補正増幅器７４の出力が遅延６０の出力に結合されると、出力信号経路６４が入力信号経路４０のほぼ線形の増幅を表すように、誤差及びパイロットトーンは出力信号経路６４から実質的に取り除かれる。
【００１３】
主増幅器５６によって取り込まれた誤差のサンプルを調節器７２において始まる誤差補正経路７３に提供するために、増幅器部２４は（主増幅器５６の出力に接続された）第１の結合器８０及び（遅延素子６８の出力に接続された）第２の結合器８２を相互接続する結合経路７８によって更に特徴付けられる。また、調節器７２の直前で全出力を測定するために、検出器−制御器８４が結合器８６を介して調節器７２の入力に接続している。検出器−制御器８４は、全出力のレベルを最小にするためにこの測定値を用いて調節器５２の制御を変更する。主増幅器５６において生成されたパイロットトーン及びあらゆる相互変調生成物からなる、経路７８を介して結合された残りの出力は誤差経路７３に送られる。
【００１４】
パイロットトーン発生器２８は、基準信号を位相ロックループ（ＰＬＬ）チップ９２に提供する基準信号発生器８８を含む。（図１には明白に示されていないが、ＰＬＬチップ９２がＰＬＬ回路及びループフィルタ回路の双方を含むことを当業者は認識するであろう。）ユーザがＦＦＡ２０での使用に好適なパイロットトーンを設定できるよう、ＰＬＬチップ９２はプログラミング入力９６を受信するように動作することができる。ＰＬＬチップ９２は発振器１００と接続しており、発振器１００はその出力をＰＬＬチップ９２に送り返す一方、主増幅器５６の入力の直前にある結合器１０２を介して増幅器部２４に出力を注入する。よって、全体的に、パイロットトーン発生器２８はパイロットトーンを主増幅器５６に注入するように動作することができる。
【００１５】
パイロットトーン受信器３２は、基準信号をＰＬＬチップ１０８に提供する基準信号発生器１０４を含む。ＰＬＬチップ１０８は、受信器３２において受信されたパイロットトーンがパイロットトーン発生器２８によって生成されたパイロットトーンに対応することを確実にするために、パイロットトーン発生器２８のＰＬＬチップ９２に取り込まれたものと同一のプログラミング入力９６を受信するように動作することもできる。ＰＬＬチップ１０８は、フィルタ１２４の中間周波数に等しい量だけＰＬＬチップ９２と異なる周波数に調節することができる。所望のシステムパラメータにより、この差をＰＬＬ９２の周波数よりも小さくしたり大きくしたりすることができる。ＰＬＬチップ１０８は発振器１１２に接続しており、これは発振速度を通常の態様で補正するためにその出力をＰＬＬチップ１０８に送り返す。従って、発振器１１２はＰＬＬチップ９２によって制御された周波数で動作する。これが、ＦＦＡ２０に対して２つの発振器が必要であり、これによってＦＦＡ２０の全体的なコスト及び複雑さが増す、という従来技術の欠点の１つであることを当業者は認識するであろう。
【００１６】
発振器１１２の出力は混合器１１６にも送られ、これは出力信号経路６４に結合された結合器１２０からの入力も受信する。混合器１１６の出力は、発振器１１０及び１１２間の周波数の差から決定された中間周波数に適合するように選択されたフィルタ１２４に与えられる。フィルタ１２４から出力されたフィルタ処理済信号は検出器−制御器１２８に入力され、これは結合器１２０において受信されたパイロットトーンを検出し、パイロットトーンのレベルを最小にするために調節器７２の制御を変更する。よって、全体的に、パイロットトーン受信器３２は出力信号経路６４におけるパイロットトーンを検出し、パイロットトーンのレベルを用いてゲイン及び位相調節器７２を変更し、結合器１２０におけるパイロットトーンのレベルを最小にするように動作することができる。
【００１７】
前述の説明及び図１を参照しながら、従来技術のＦＦＡ２０の動作を論じる。信号が入力信号経路４０に取り込まれ、ここで信号は第１の信号経路４４及び第２の信号経路４８に分割される。主増幅器５６の直前で、パイロットトーンがパイロットトーン発生器２８により第１の信号経路４４に注入される。信号出力経路６４に沿った出力はパイロットトーン受信器３２によってモニタされ、パイロットトーン受信器３２はパイロットトーンの大きさを検出してそれを調節器７２に送る。また、調節器７２は結合経路７８を介して主増幅器５６からの出力も受信する。そして、補正増幅器７４はゲイン及び位相調節器７２からの出力を用いて出力を生成し、これは結合器７６を介して出力信号経路６４に注入され、これにより、主増幅器５６によって取り込まれたパイロットトーン及びあらゆる誤差が実質的に取り除かれる。
【００１８】
ここで、図２を参照しながら、本発明の１つの実施の形態に従ったフィードフォワード増幅器を説明する。このフィードフォワード増幅器は概して２０ａで示されている。ＦＦＡ２０ａは増幅器部２４を含み、これは、本実施の形態では前述の従来技術のＦＦＡ２０の増幅器部２４と同一である。従って、ＦＦＡ２０ａにおける増幅器２４の個々の構成要素はＦＦＡ２０の増幅器部２４と同一であり、よって図１の増幅器２４と同じ参照番号で示される。
【００１９】
ＦＦＡ２０ａはパイロットトーン発生器−受信器１３２も含んでおり、これは基準信号をＰＬＬチップ１４０に提供する基準信号発生器１３６を含む。ＦＦＡ２０ａに対する所望のパイロットトーンのユーザ設定を可能にするために、ＰＬＬチップ１４０は、パイロットトーン発生器−受信器１３２のＰＬＬチップ１４０に取り込まれるプログラミング入力９６ａ（図１に示される従来技術において述べたプログラミング入力９６と同一でもよい）を受信するように動作することができる。ＰＬＬチップ１４０は発振器１４４に接続しており、これは中間周波数よりも大きいか又は小さい所望のパイロットトーン周波数で信号を生成するように動作することができる。発振器１４４は、所望の発振速度を通常の態様で補正するために、その出力を位相ロックループチップ１４０に送り返す。
【００２０】
発振器１４４はその信号をベクトル変調器１６０にも出力し、これは、増幅器部２４の主増幅器５６の直前にある結合器１０２ａへの注入のためにパイロットトーンを生成する。ベクトル変調器１６０は、発振器１４４によって所望の変調周波数（Ｆｍ）を発振器信号に加えたり発振器信号から減ずることにより生成された信号からパイロットトーンを生成する。中間周波数の加算又は減算は、変調器１６０のＳＩＮ入力及びＣＯＳ入力に与えられる位相基準によって選択可能である。当業者には思い浮かぶように、ＦＦＡ２０ａ用のデジタル信号プロセッサ（ＤＳＰ）又は他のタイプの主制御器を用いてこれらのＳＩＮ入力及びＣＯＳ入力を操作することができる。
【００２１】
あらゆる好適な変調周波数を選択することができる。変調周波数（Ｆｍ）を選択することのできる周波数の１つの好適な範囲は、約１メガヘルツ（１ＭＨｚ）未満の任意の周波数である。しかしながら、他の周波数範囲として、直流に近いものから約５０メガヘルツまでが可能である。更に他の周波数範囲として、約１０キロヘルツ乃至約１０メガヘルツが可能である。しかしながら、本実施の形態では、４５０ｋＨｚのＩＦフィルタを容易に供給することができるため、４５０キロヘルツ（４５０ｋＨｚ）の変調周波数が目下好適である。よってベクトル変調器１６０の出力は正確なパイロットトーンを示し、これを、前述の従来技術のＦＦＡ２０の結合器１０２においてパイロットトーンが注入されたのとほぼ同じ態様で、ＦＦＡ２０ａの増幅器部２４の結合器１０２ａにおいて注入することができる。
【００２２】
発振器１４４の出力はパイロットトーン受信器回路にも送られ、これは、本実施の形態では、出力信号経路６４に結合された結合器１２０ａからの入力の受信も行う混合器１４８を含む。混合器１４８の出力は次にフィルタ１５０に送られ、これは変調周波数（Ｆｍ）に対応するように寸法決めされた中間周波数の中心を有する。フィルタ１５０から出力されたフィルタ処理済信号は検出器−制御器１５４に入力され、これは結合器１２０ａにおいて受信されたパイロットトーンを検出し、パイロットトーンのレベルを最小にするために調節器７２を調節する。
【００２３】
表１は、パイロットトーン発生器−受信器１３２において使用される例示的な部品番号の表を示している。
【００２４】
【表１】
2004536470.tif 000003
【００２５】
本発明の他の実施の形態に従ったパイロットトーンの生成及び受信方法を、図３に示されるフローチャートを参照しながら説明する。この方法の説明を補うために、図２に示されるＦＦＡ２０ａ及び前述の説明を参照する。ステップ３００では、発振信号を生成する。本実施の形態では、発振器１４４が発振信号を生成するが、発振信号を生成する他の方法が当業者には思い浮かぶであろう。決定的ではないが、発振信号はＦＦＡ２０ａによって増幅される周波数を含まない任意の信号であることが目下好ましい。発振信号の周波数をユーザが設定できるように入力９６ａを含むことにより、更なる機能性がＦＦＡ２０ａに設けられる。信頼性の高い発振周波数が生成されることを確実にするために、ＰＬＬチップ１４０及び基準信号１３６は発振器１４４に対する更なる入力及び制御を提供する。一般に、パイロットトーンの生成及び検出に使用できる任意の発振信号生成手段を使用することができ、よって他の機能上の同等物が当業者には思い浮かぶことを理解されたい。
【００２６】
ステップ３０５では、ステップ１００で生成された発振信号にベクトル変調を適用し、パイロットトーンを生成する。本実施の形態では、ベクトル変調はベクトル変調器１６０によって行われ、これは、受信されているＳＩＮ（Ｆｍ）入力及びＣＯＳ（Ｆｍ）入力の位相関係によって所望の変調周波数を加えたり減じたりし、よってベクトル変調器１６０の出力においてパイロットトーンを生成する。他の実施の形態では、所望のベクトル変調を発振信号に適用する任意の手段を用いたり、変調周波数を発振信号に加える（又は発振信号から減ずる）任意の手段を用いたりすることができ、よってステップ３０５を行うための他のタイプの設備が当業者には思い浮かぶことを理解されたい。
【００２７】
ステップ３１０では、パイロットトーンを主増幅器の前に注入する。本実施の形態では、パイロットトーンは主増幅器５６の直前に位置する結合器１０２ａを介して注入されるが、パイロットトーンを増幅器部２４に注入する他の手段が当業者には思い浮かぶであろう。
【００２８】
パイロットトーンの注入後、増幅器部２４は通常の態様で作動する。即ち、主信号及び注入されたパイロットトーンは主増幅器５６によって増幅される。遅延素子６０において遅延された後、増幅された信号は遅延素子６０から出力信号経路６４に沿って出力される。更に、増幅器５６によって生成された増幅信号のサンプルが誤差経路に送られる。
【００２９】
ステップ３１５では、ステップ１００で生成された発振信号を増幅器部の測定出力と混合する。本実施の形態では、測定出力は出力信号経路６４に結合された結合器１２０ａを介して得られる。測定出力は混合器１４８を用いて混合され、混合器１４８は混合された信号をフィルタ１５０へ出力する。
【００３０】
ステップ３２０では、混合された信号から中間周波数をフィルタ処理する。本実施の形態では、このステップはフィルタ１５０によって達成され、フィルタ１５０はフィルタ処理済信号を検出器−制御器１５４に送るが、混合された信号から中間周波数をフィルタ処理するように動作することのできる他のフィルタ手段が本発明の範囲内にある。
【００３１】
ステップ３２５では、フィルタ処理済信号からパイロットトーンを検出する。本実施の形態では、これは検出器−制御器１５４によって達成される。
【００３２】
ステップ３３０では、検出されたパイロット信号のレベルを最小化するように誤差補正経路７３の制御を変更する。本実施の形態では、この調節は、ステップ３２５から検出されたパイロットトーンを用いる検出器−制御器１５４によって行われる。この変更は、誤差補正経路７３内の調節器７２において行われる。
【００３３】
ステップ３００−３３０は連続的に循環し、図３に示されるようなものと同一の順序で生じなくてもよいことが当業者によって理解されるであろう。
本明細書において説明した実施の形態は本発明の特定の実施に向けられているが、これらの実施の形態の組み合わせ、サブセット及び変形物が本発明の範囲内にあることが理解されるであろう。例えば、目下はさほど好適ではないが、本発明の他の実施の形態では、ベクトル変調器１６０を取り除き、発振器１４４によって生成された発振信号の位相を適応的に調節する移相器又は位相調節手段を代用することが可能であることが予期される。パイロットトーンが注入される結合器１０２の前や、混合器１４８と発振器１４４との間など、位相調節手段を任意の好適な位置に配置することができる。発振器１４４によって生成された信号は、パイロットトーンと、パイロットトーン受信器用の局部発振器である。この例では、結合器１２０ａにおけるパイロットトーンと発振器１４４から入ってくる信号との間の所望の位相関係を混合器１４８への入力において維持するための手段が設けられる。温度及び構成要素の変形物を補償するように位相調節手段を適応的に制御する、更なる手段が設けられる。この変形物によると、位相調節手段の配置場所にかかわらず、混合器１４８の出力は、結合器１２０ａにおいて受信されたパイロットトーンのレベルに対応するＤＣ電圧である。よって、当業者は、この変形物が「ゼロ−ＩＦ」システムであると認識するであろう。
【００３４】
本発明は、新規なフィードフォワード増幅器を提供する。フィードフォワード増幅器は、フィードフォワード増幅器の増幅器部に共通して見出される任意の回路を含み、また、パイロットトーン発生器−受信器を含む。これは、完全なフィードフォワード増幅器に組み込まれた場合、フィードフォワード増幅器による実質的に誤差のない線形増幅の生成を可能にするために単一の発振器のみを必要とする。単一の発振器のみが必要であるため、本発明は一般に従来の２発振器システムよりも実施が容易で、安価である。更に、パイロットトーン受信器回路と組み合わせたパイロットトーン発生器を得るために、簡単に入手可能なベクトル変調器を用いて本発明のパイロットトーン発生器−受信器を実施することができる。共通の発振器を用いることにより、パイロットトーン受信器内のフィルタ及び検出器−制御器とパイロットトーン発生器の素子との単調かつ複雑な適合を回避することができる。また、パイロットトーンの生成及び受信の双方に１つの発振器が使用されるため、低ノイズＩＦ信号を生じる発振器及び一般に感度が更に高いパイロットトーン受信器によって生じる位相ノイズを打ち消すことが大抵の場合可能になる。
【００３５】
本発明の前述の実施の形態は本発明の例であると意図されており、本明細書に添付の請求の範囲によって定義される本発明の範囲から逸脱せずに、当業者による改変物及び変更物の実施が可能である。
【図面の簡単な説明】
【図１】
従来技術のフィードフォワード増幅器のブロック図である。
【図２】
本発明の１つの態様に従ったフィードフォワード増幅器のブロック図である。
【図３】
本発明の他の態様に従ったパイロットトーンの生成及び受信方法を示すフローチャートである。
【図１】
2004536470.tif 000004
【図２】
2004536470.tif 000005
【図３】
2004536470.tif 000006
【国際公開パンフレット】
2004536470.tif 000007
2004536470.tif 000008
2004536470.tif 000009
2004536470.tif 000010
2004536470.tif 000011
2004536470.tif 000012
2004536470.tif 000013
2004536470.tif 000014
2004536470.tif 000015
2004536470.tif 000016
2004536470.tif 000017
2004536470.tif 000018
2004536470.tif 000019
2004536470.tif 000020
2004536470.tif 000021
2004536470.tif 000022
2004536470.tif 000023
2004536470.tif 000024
【国際公開パンフレット（コレクトバージョン）】
2004536470.tif 000025
2004536470.tif 000026
【国際調査報告】
2004536470.tif 000027
2004536470.tif 000028
2004536470.tif 000029